(57)【要約】【課題】アシストイレーズ現象を効果的に抑制することにより、ディスク上に記録された情報の消去又は破壊を回避できる磁気ディスク装置を提供することにある。【解決手段】ＣＰＵ１１は、ライト動作時に、外磁場センサ１６からの検出情報により外乱磁界の磁化方向を認識する。ＣＰＵ１１は、ライトヘッドの残留磁化方向を外乱磁界の磁化方向に対して反対方向に制御するように、ビット付加回路９０１に指示を行なう。ビット付加回路９０１は、ＣＰＵ１１からの指示に応じて、記録データの最後尾にアシストイレーズ回避のための付加ビットを付加する。【選択図】　　図１
2004005839.tif 000002
【特許請求の範囲】
【請求項１】
データ信号を磁気的に記録するディスク媒体と、
前記ディスク媒体に対してリード動作を実行するためのリードヘッド及びライト動作を実行するためのライトヘッドを含む磁気ヘッドと、
外乱磁界を検出する外乱検出手段と、
ライト動作時に、前記外乱検出手段により検出された外乱磁界の磁化方向に従って、前記ライトヘッドの残留磁化方向を制御するためのライト制御手段と
を具備したことを特徴とする磁気ディスク装置。
【請求項２】
前記ライト制御手段は、前記ライトヘッドの残留磁化方向を外乱磁界の磁化方向とは反対方向に制御することを特徴とする請求項１に記載の磁気ディスク装置。
【請求項３】
前記外乱検出手段は、前記磁気ヘッド又は前記ディスク媒体の近傍に設けられた磁気センサを含むことを特徴とする請求項１に記載の磁気ディスク装置。
【請求項４】
前記外乱検出手段は、前記磁気ヘッドに対して入出力するデータ信号を増幅するためのヘッドアンプ回路の内部に設けられた磁気センサを含むことを特徴とする請求項１に記載の磁気ディスク装置。
【請求項５】
前記ライト制御手段は、前記ライトヘッドのコイルに流す電流を制御して、前記ライトヘッドの記録磁界を発生するための磁極の残留磁化方向を、外乱磁界の磁化方向とは反対方向に制御することを特徴とする請求項１に記載の磁気ディスク装置。
【請求項６】
データ信号を磁気的に記録するディスク媒体と、
前記ディスク媒体に対してリード動作を実行するためのリードヘッド及びライト動作を実行するためのライトヘッドを含む磁気ヘッドと、
外乱磁界を検出する外乱検出手段と、
ライト動作時に、前記ライトヘッドに供給するための記録データに磁化制御用ビットを付加する手段を含み、当該磁化制御用ビットにより前記ライトヘッドの残留磁化方向を前記外乱磁界の磁化方向とは反対方向に制御するためのライト制御手段と
を具備したことを特徴とする磁気ディスク装置。
【請求項７】
前記ライト制御手段は、前記記録データの最後尾ビットに、前記外乱検出手段により検出された外乱磁界の磁化方向に従って決定される前記磁化制御用ビットを付加する手段を含むことを特徴とする請求項６に記載の磁気ディスク装置。
【請求項８】
前記磁化制御用ビットは、前記ディスク媒体上のサーボデータまたはユーザデータの記録エリアを除くエリアに記録されるように構成されていることを特徴とする請求項６又は請求項７のいずれか１項に記載の磁気ディスク装置。
【請求項９】
前記ライト制御手段は、前記記録データの最終ビットを前記磁化制御用ビットとなるように前記記録データを符号化する符号化手段を含むことを特徴とする請求項６に記載の磁気ディスク装置。
【請求項１０】
前記外乱検出手段は、前記磁気ヘッド又は前記ディスク媒体の近傍に設けられた磁気センサを含むことを特徴とする請求項６に記載の磁気ディスク装置。
【請求項１１】
前記ディスク媒体及び前記ライトヘッドは、垂直磁気記録方式に適用可能な構成であることを特徴とする請求項１から請求項１０のいずれか１項に記載の磁気ディスク装置。
【発明の詳細な説明】
【０００１】
【発明の属する技術分野】
本発明は、一般的には磁気ディスク装置の技術分野に関し、特に、垂直磁気記録方式の磁気ディスク装置に有効な外乱磁界補償技術に関する。
【０００２】
【従来の技術】
近年、ハードディスクドライブを代表とする磁気ディスク装置（以下ディスクドライブと呼ぶ場合がある）の分野では、従来からの長手磁気記録方式のさらなる改善と共に、垂直磁気記録方式の実用化が推進されている。
【０００３】
ディスクドライブでは、ディスク上にデータをリード／ライトするために磁気ヘッドが設けられている。磁気ヘッドは、記録動作（ライト動作）に使用されるライトヘッドと、再生動作（リード動作）に使用されるリードヘッドとを有する。リードヘッドは、通常ではＭＲ（ｍａｇｎｅｔｏｒｅｓｉｓｔｉｖｅ）素子またはＧＭＲ素子から構成されている。一方、ライトヘッドは、インダクティブヘッドからなり、記録磁極を励磁するための電流（記録電流）をコイルに印可することにより、ディスク上に記録磁界を発生して情報の磁気的記録を行なう構造である。
【０００４】
ところで、ディスクドライブは、記録動作以外では、ライトヘッドの記録磁極の磁界がディスク上に印可しないように、励磁電流（記録電流）を停止する制御を実行している。しかし実際には、ライトヘッドの記録磁極の先端部には、最終記録動作による磁化方向の残留磁界が発生している。このため、磁気ヘッドがディスク上を走行しているときに、ライトヘッドの残留磁界により、常に微弱な磁界がディスク上に印可されている状態となる。
【０００５】
このようなライトヘッドの残留磁界により、ディスク上に印加される漏洩磁界が相当程度の強度を有する場合、ディスク上に記録された情報が消去されてしまう危険性がある。また、ライトヘッドの残留磁界とは無関係に、ドライブの周囲に強度の外乱磁場が存在するときには、浮遊する磁束がライトヘッドの記録磁極に集中することがある。このような事態においても、ライトヘッドの記録磁極から、ディスク上の磁化状態に影響を与える程度の漏洩磁界が発生する。
【０００６】
【発明が解決しようとする課題】
ディスクドライブでは、ライトヘッドの記録磁極に残留磁化が生じた状態で、当該残留磁化と同方向の外乱磁界を受けると、ライトヘッドから非常に強い漏洩磁界がディスク上に印加されることが確認されている。このような残留磁化と外乱磁界の磁化方向が一致するような条件が重なると、ディスク上に記録された情報が消去（破壊）される可能性が非常に高くなる。外乱磁界が残留磁界を補助（アシスト）して、ディスク上に記録された情報をイレーズするという意味から、前記の現象をアシストイレーズと呼ばれることがある。
【０００７】
アシストイレーズは、ディスクドライブの長手磁気記録方式だけではなく、高記録密度の次世代技術として注目される垂直磁気記録方式でも発生する。むしろ、垂直磁気記録方式は、以下の理由によりアシストイレーズよる情報の破壊が発生しやすい傾向がある。第１に、リングヘッドのギャップ間の漏洩磁束によって記録する長手磁気記録方式と異なり、垂直磁気記録方式は、ライトヘッドの磁極より発生した磁束がディスク上の記録層に引き込まれる割合が高く、磁気記録効率が良いことにある。第２に、磁気ヘッドに直接的に印可されることが想定される外乱磁場の強度と方向が関係する。特に、薄型のディスクドライブでは、磁気ヘッドとのスペースが狭い上下面からの外乱磁界は、磁界強度がほとんど減衰することなく磁気ヘッドに到達する。一方、ヘッドから比較的距離のある側面からの磁場は、磁気ヘッドに届くまでの距離で外部からの磁界強度が大きく減衰する。垂直磁気方式のドライブは、より強い磁場が届く垂直方向の外乱磁界に対して、ディスク上の垂直方向の記録磁界の影響を受け易い構造である。
【０００８】
このような問題点を解消するために、ライトヘッドの残留磁化に対する対策として、第１の先行技術（ＴＨＥ　ＭＡＧＮＥＴＩＣ　ＲＥＣＯＲＤＩＮＧ　ＣＯＮＦＥＲＥＮＣＥ（ＴＭＲＣ）　２００１−Ｍａｇｎｅｔｉｃ　Ｒｅｃｏｒｄｉｎｇ　Ｈｅａｄｓ　Ｅ１“Ａ　ＮＯＶＥＬ　ＤＥＳＩＧＮ　ＯＦ　ＳＩＮＧＬＥ　ＴＵＲＮ　ＷＲＩＴＥ　ＨＥＡＤＳ　ＡＴ　ＮＡＲＲＯＷ　ＴＲＡＣＫ　ＷＩＤＴＨ”を参照）及び第２の先行技術（特開平７−１３４８０４公報を参照）がある。
【０００９】
第１の先行技術は、残留磁化の漏洩を低減したライトヘッドでの記録磁極の構造を提案している。これによって、残留磁界による情報破壊を回避・抑制することができる。また、第２の先行技術は、ライトヘッドの記録磁極の先端部での残留磁化の消磁手段を提案している。即ち、ディスクに対して薄膜磁気ヘッドにより一連の情報を記録した後、その最後の情報に対応する記録電流の極性と反対の電流を該薄膜ヘッドのコイルに供給して磁極先端部の残留磁化を消磁する給電回路を設けた構成である。これにより、データ再生時に、残留磁化による再生波形歪みを解消して再生信号のエラーを防止する。
【００１０】
しかしながら、いずれの先行技術においても、ライトヘッドの残留磁化による情報消去（破壊）を回避または抑制できるが、ディスクドライブの外部からの外乱磁界によるアシストイレーズ現象については有効ではない。
【００１１】
そこで、本発明の目的は、アシストイレーズ現象を効果的に抑制することにより、ディスク上に記録された情報の消去又は破壊を回避できる磁気ディスク装置を提供することにある。
【００１２】
【課題を解決するための手段】
本発明の観点は、ライト動作時に、ライトヘッドの残留磁化（記録磁極の先端部からの磁界）の方向を、外乱磁界の磁化方向に対して反対方向に制御することにより、アシストイレーズ現象の発生を効果的に抑制できる磁気ディスク装置に関する。
【００１３】
本発明の観点に従った磁気ディスク装置は、データ信号を磁気的に記録するディスク媒体と、ディスク媒体に対してリード動作を実行するためのリードヘッド及びライト動作を実行するためのライトヘッドを含む磁気ヘッドと、外乱磁界を検出する外乱検出手段と、ライト動作時に外乱検出手段により検出された外乱磁界の磁化方向に従って、ライトヘッドの残留磁化方向を制御するためのライト制御手段とを備えたものである。
【００１４】
このような構成により、ライトヘッドの残留磁化の方向を、外乱磁界の磁化方向に対して反対方向に制御することにより、ディスク上に印加されるライトヘッドからの漏洩磁界の影響を抑制できる。従って、記録動作時以外で、外乱磁界の影響を伴なうライトヘッドからの漏洩磁界により、ディスク上に記録された情報の消失を招くようなアシストイレーズ現象を回避することが可能となる。
【００１５】
【発明の実施の形態】
以下図面を参照して、本発明の実施の形態を説明する。
【００１６】
（ディスクドライブの構成）
図１は、本実施形態に関する垂直磁気記録方式のディスクドライブの要部を示すブロック図である。
【００１７】
本ディスクドライブ１は、図１に示すように、垂直磁気記録方式のディスク４と、磁気ヘッド（以下単にヘッド）４と、スピンドルモータ（ＳＰＭ）５と、アクチュエータ６とを有する。
【００１８】
ディスク４は、１枚又は複数枚の円板状のデータ記録媒体であり、ＳＰＭ５により回転駆動される。ディスク４の各データ面には、同心円状の多数のトラックが形成される。各トラックには、主としてヘッド位置決め制御（サーボ制御）に使用されるサーボデータが記録された複数のサーボエリアが等間隔で配置されている。各トラックでは、サーボエリア間がデータエリア（ユーザデータの記録エリア）であり、当該データエリアは複数のデータセクタが設定される。
【００１９】
ヘッド４は、アクチュエータ６に搭載されており、ディスク４の各データ面に対応してそれぞれ設けられている。アクチュエータ６は、サーボ制御により、ボイスコイルモータ７の駆動力で、ディスク３上の半径方向にヘッド４を移動させる機構である。ヘッド４は、データ記録するためのライトヘッドと、データを再生するためのリードヘッドとが分離して、同一スライダ上に実装された複合型磁気ヘッドである。リードヘッドは、通常ではＧＭＲ（ｇｉａｎｔ　ｍａｇｎｅｔｏｒｅｓｉｓｔｉｖｅ）素子から構成されている。ライトヘッドは、インダクティブヘッド素子から構成されて、垂直磁気記録方式に適合する単磁極型ヘッドである。
【００２０】
更に、ディスクドライブは、ヘッドアンプ回路（プリアンプ回路）８と、リード／ライト（Ｒ／Ｗ）チャネル９と、ディスクコントローラ（ＨＤＣ）１０と、マイクロプロセッサ（ＣＰＵ）１２とを有する。
【００２１】
ヘッドアンプ回路８は、ヘッド４との間でリード／ライト信号の入出力機能、ヘッド４の切替機能、及びリード／ライト信号の増幅機能を実現している。ライトアンプ８０は、後述するライトチャネル９０からのライトデータ（記録信号）をライト電流に変換してライトヘッドに供給する。リードアンプ８１は、リードヘッドから出力されるリード信号を増幅してリードチャネル９１に送出する。
【００２２】
リード／ライトチャネル９は、リード／ライト信号処理回路であり、ユーザデータと共に、リード信号からサーボデータを抽出する信号処理機能も含む。リードチャネル９１はデコーダなどの回路を有し、リードアンプ８１により増幅されたリード信号を入力し、データ再生動作に必要な信号処理を実行する。
【００２３】
ライトチャネル９は、同実施形態に関するビット付加回路９０１及び符号化・記録補償回路９０２を有する。符号化・記録補償回路９０２は、垂直磁気記録するための記録データの符号化処理、及び信号反転位置を正規の位置から遅延あるい先行させる記録補償処理を実行する。ビット付加回路９０１は、いわば記録磁化制御回路（ライトヘッドの残留磁化制御の回路）であり、ＣＰＵ１１の指示に応じて記録データの最後尾にアシストイレーズ回避のための付加ビットを付加する。付加ビットは、後述するように、外乱磁界の磁化方向とは逆方向の磁化を付加することを目的としている。
【００２４】
ＨＤＣ１０は、ドライブとホストシステム２とのインターフェースを構成し、ホストシステム２との間で、コマンド及びリード／ライトデータの通信を制御する。また、ＨＤＣ１０は、リード／ライトチャネル９を介して、ディスク３との間でリード／ライトデータの通信を制御する。ホストシステム２は、製造工程では各種のテスト装置に相当し、また製品出荷後ではパーソナルコンピュータ（携帯型情報端末を含む）や各種のディジタル機器に相当する。
【００２５】
ＣＰＵ１２は、通常ではＲＯＭ１４に格納されている制御プログラムに従って、各種の制御動作を実行するドライブのメイン制御装置である。具体的には、ＣＰＵ１０は、ヘッド４をディスク３上の目標位置に位置決めさせるサーボ制御を実行する。更に、ＣＰＵ１２は、ディスク３の近傍に設けられた磁気センサ１６からの外乱磁界の検出情報に基づいて、外乱磁界によるアシストイレーズ回避のための外乱磁界補償動作に関する制御を実行する。
【００２６】
磁気センサ１６は、垂直方向の外乱磁場の磁界（外乱磁界）の強度及び磁化方向を検出する。磁気センサ１６は、例えばＧＭＲ素子から構成されている。また、磁気センサ１６は、例えばヘッドアンプ回路８の内部に設けられて、検出データをＣＰＵ１１に送出する構成でもよい。
【００２７】
ＣＰＵ１２には、前記ＲＯＭ１４以外に、ＣＰＵ１２のワークメモリとして機能するＲＡＭ１３が接続されている。また、ＣＰＵ１２には、各種の制御用パラメータなどを保存するための書き換え可能なフラッシュメモリ（ＦＲＯＭ）１２が接続されている。
【００２８】
（ヘッドとディスクの構造）
図２は、同実施形態のディスクドライブに使用されるヘッド４及びディスク３の構造を示す。
【００２９】
当該ヘッド４は、スライダ２１側にリードヘッド２２を有し、その後にライトヘッド２３を有する。リードヘッド２２は、ＧＭＲ素子２４、上部シールドコア２５、及び下部シールドコア２６を有する。ＧＭＲ素子２４は、それらの一対のシールドコア２５，２６に挟まれた所定のギャップを形成する空間内に配置されている。
【００３０】
ライトヘッド２３は、上部磁極（主磁極）２７、コイル２８、下部磁極（補助磁極）２９を有するインダクティブ・単磁極型ヘッドである。主磁極２７は、磁極先端が垂直記録方式特有の構造であり、垂直方向の磁束によりディスク３の深さ方向に磁化する。補助磁極２９は、主磁極２７からディスク３に流入した磁束を引き上げて磁束路を形成する。
【００３１】
一方、同実施形態のディスク３は、垂直方向の磁気異方性を示す記録層３０と、当該記録層３０と基板３２との間に軟磁性層３１とを有する２層構造ディスクである。軟磁性層３１は、主磁極２７から発生した磁束を垂直方向に引き込み、記録層３０を垂直に磁化するための補助的な役割を果たす。軟磁性層３１に流入した磁束は、長手方向に通過し、補助磁極２９へ流出する。即ち、主磁極２７から発生した磁束は、記録層３０、軟磁性層３１、及び補助磁極２９からなる磁束路を形成する。
【００３２】
（アシストイレーズ回避動作）
以下図１と共に、図３から図８を参照して同実施形態に関するアシストイレーズ回避動作を説明する。
【００３３】
まず、ライトヘッド２３の記録磁極での残留磁化の要因である磁区構造について説明する。
【００３４】
図３（Ａ）は、ライトヘッド２３のコイル２８に励磁電流を印可する前の磁極先端部の初期磁区状態を示す。この状態は還流磁区構造であり、記録磁極からは漏洩磁界が発生していない状態である。ライトヘッド２３の記録磁極が当該磁区状態をとっていれば、非記録動作時に、ヘッド４がディスク３上を走行しても記録情報が破壊（消去）されることはない。
【００３５】
一方、コイル２８に励磁電流が印加されて、ディスク３上を磁化する場合は、ライトヘッド２３の記録磁極の先端部での磁区構造は、図３（Ｂ）及び（Ｃ）に示すように変化する。即ち、ライトヘッド２３の記録磁極から下向きの漏洩磁界が発生する。図中、中抜き矢印は、記録磁極から生じる漏洩磁界の向きと大きさを表現している。
【００３６】
さらに、この状態からコイル２８への励磁電流を停止すると、磁区状態は、図６（Ａ）と変化する。励磁電流を停止しても、ライトヘッド２３の磁極先端部には残留磁化が発生しているため、磁極先端からは下向きの微弱漏洩磁界が発生している。但し、この残留磁化による漏洩磁界は、ディスク３上の磁化状態を変化させるには十分小さく、情報の破壊などの問題は生じないものとする。一方、最終磁化方向が上側である場合は、同様の過程を経て、図７（Ａ）に示す磁区状態となる。
【００３７】
図４は、同実施形態のビット付加回路９０１が機能していない場合の記録動作のタイミングチャートを示す。
【００３８】
図４（Ａ）は、符号化・記録補償回路９０２から出力される記録データである。同図（Ｂ）は、記録動作（ライト動作）のタイミングを決定するライトゲートであり、ハイレベルで記録動作が有効となる。同図（Ｃ）は、コイル２８に印加される電流（励磁電流）を示す。この電流により、同図（Ａ）の記録データに同期して記録磁極の磁化を反転させて、ディスク３上にデータを磁気記録する。
【００３９】
この一連の記録動作中に、ライトヘッドが下向きの外乱磁界を受けている場合、記録終了後の記録磁極は、前述の図６（Ａ）に示す磁区構造に加えて、図６（Ｂ）に示すような磁化状態となる。この結果として、記録磁界に匹敵する漏洩磁界がディスク３上に印加されて、ヘッド４がディスク３上を走行するだけで、サーボ情報やユーザデータの記録情報を破壊してしまう。
【００４０】
図８は、外乱磁界の有無に応じたディスク３上への漏洩磁界のレベルを示す。図中、情報保持限界（±）とは、ディスク３上の磁化に影響を及ぼす最低レベルの磁界である。これを超える磁界が印加されると、ディスク３上の記録情報は消去（破壊）されてしまう。また、記録磁界（±）は、実際上での情報を記録する磁界レベルである。
【００４１】
ここで、同実施形態のビット付加回路９０１が機能せずに、アシストイレーズ回避動作が実行されない場合には、記録後の残留磁化要因の漏洩磁化は、図８中の符号８０の８０Ａに相当する。外乱磁界によって漏洩磁界は、図中８０Ｂまで強くなり、情報保持限界を超えてディスク上の記録情報を破壊することになる。
【００４２】
一方、図５は、同実施形態のビット付加回路９０１が機能して、アシストイレーズ回避動作が実行される場合での記録動作のタイミングチャートを示す。
【００４３】
図４と同様に、図５（Ａ）は、符号化・記録補償回路９０２から出力される記録データである。同図（Ｂ）は、記録動作（ライト動作）のタイミングを決定するライトゲートであり、ハイレベルで記録動作が有効となる。また、同図（Ｃ）はコイル２８に印加される電流（励磁電流）を示す。
【００４４】
記録動作時に、ＣＰＵ１１は、外磁場センサ１６から外乱磁界の検出情報（強度と磁化方向）を認識する。さらに、ＣＰＵ１１は、符号化・記録補償回路９０２からの記録データの最終ビットを読込み、当該最終ビットの記録磁化方向と外乱磁界の磁化方向とが一致するか否か判断する。一致した場合、ＣＰＵ１１はアシストイレーズ回避のために、ビット付加回路９０１に外乱磁界の磁化方向と相反する付加ビットを記録データの最後尾に付加することを指示する。
【００４５】
このＣＰＵ１１からの指示に応じて、ビット付加回路９０１は、符号化・記録補償回路９０２から出力される記録データの最後尾に１ビットを付加してライトアンプ８０に出力する。これにより、図５（Ｃ）に示すように、ライトヘッド２３のコイル２８に印加される記録電流には、本来の記録データに相当する電流パルス以外に、磁化制御（アシストイレーズ回避）用の１パルス５０が付加されている。
【００４６】
以上のようなアシストイレーズ回避動作により、ライトヘッド２３の記録磁極の磁区状態は、図７（Ａ）に示すように変化する。更に、下方向の外磁場が加わると、磁区構造は図７（Ｂ）に示すように変化するため、漏洩磁界の発生を抑制することができる。図８では、図中８１の８１Ａが外磁界無し、図中８１Ｂが外磁界有りの漏洩磁界を示しており、いずれも情報保持限界内に留まっていることを示している。
【００４７】
要するに、記録データの最後尾ビットとして、外乱磁界を相殺するような付加ビットが付加されているため、記録動作の終了時に記録磁極の先端部の残留磁化の方向が、外乱磁界とは反対方向になるように制御される。従って、ライトヘッド２３からディスク３上に印加される漏洩磁界は抑制される。なお、付加ビットは、ディスク上のユーザデータエリア間のギャップ領域などに記録されるため、ユーザデータの再生動作には影響しない。
【００４８】
ここで、実際上では、ライトヘッド２３の残留磁界をゼロにすることは困難である。同実施形態のアシストイレーズ回避機能を適用する場合は、敢えてライトヘッドの記録磁極が残留磁化を持つ構造の方が、外乱磁場によるイレーズ耐性が向上する。具体的には、図８において、符号８３は残留磁化０のときの場合、また符号８４は残留磁化が存在する場合に、外乱磁界の有無に対応した漏洩磁化強度を示している。残留磁化が０の場合には、漏洩磁界は０となる（８３Ａ）。このとき、強度の外乱磁界により、漏洩磁界は情報保持限界を超えてしまう（８３Ｂ）。
【００４９】
一方、記録磁極が残留磁化を持ち、アシストイレーズ回避機能を適用すると、強度の外乱磁界に対しても情報消去（データ破壊）を回避することができる（８４Ｂ）。即ち、ライトヘッドの記録磁極に生じる残留磁化強度を、０より大きく且つディスク上の記録情報に影響を与えないレベル（例えば磁気特性Ｈｃ）以下にすることによって、アシストイレーズ回避動作の効果が得られる。
【００５０】
（アシストイレーズ回避方法の変形例）
同実施形態のアシストイレーズ回避方法として、例えば記録データの最終ビットと外乱磁界の磁化方向とを比較することなく、全記録データの最後尾に外乱磁場に対して反対方向の磁化を記録する方法でもよい。また、ビット付加回路９０１を設けずに、ホストシステム２からの転送データの最終ビットを外乱磁界と反対方向に磁化するように、符号化回路９０２で符号化してもよい。
【００５１】
さらに、記録データに後続するデータの終了を意味するポストアンブル信号をディスク上に記録する方式であれば、当該ポストアンブル信号の最終ビットを外乱磁界の磁化方向と反対に制御する方法でもよい。この方法であれば、ディスク上のデータやフォーマット効率を損なわずアシストイレーズ回避動作を実施できる。また、外乱磁界レベルに合わせて、付加ビットの記録時の記録電流を変化させて、ライトヘッドの残留磁化の強度を制御してもよい。
【００５２】
（外磁場センサ１６の変形例）
同センサ１６は、リードヘッドのＭＲ素子を兼用する構成でもよい。
【００５３】
さらに、同センサ１６は、ヘッド４近傍の磁場情報を正確に検出することが必要であるため、ヘッドアンプ回路８の内部に配置される構成が望ましい。特に、再生系の低ノイズ、及び記録系の低インピーダンスを考慮した場合に、ヘッド４とヘッドアンプ回路８との配線距離が短縮される傾向にある。このため、同センサ１６がヘッドアンプ回路８の内部に配置される構成は、外乱磁場の検出精度を向上させることが可能となる。
【００５４】
また、ドライブ内のプリント回路基板（ＰＣＢ）上でも、ヘッド４の軌跡直下の半径３ｃｍ以内にあれば、ヘッド位置の外乱磁場をある程度正確に検出することが可能である。また、ドライブの筐体が磁性材である場合は、筐体内部の磁場情報を得るには、磁場センサ１６がドライブ内部に配置されることは必須となる。
【００５５】
【発明の効果】
以上詳述したように本発明によれば、外乱磁場の影響によるアシストイレーズ現象を効果的に抑制することにより、ディスク上に記録された情報の消去又は破壊を未然に回避できる磁気ディスク装置を提供することができる。
【図面の簡単な説明】
【図１】本発明の実施形態に関する垂直磁気記録方式のディスクドライブの要部を示すブロック図。
【図２】同実施形態に関する垂直磁気記録方式の記録メカニズムを説明するための図。
【図３】同実施形態に関して、記録過程におけるライトヘッドの磁区構造の変化を説明するための図。
【図４】同実施形態に関するビット付加回路が機能しない場合の記録動作のタイミングチャート。
【図５】同実施形態に関するビット付加回路の機能を伴なう記録動作のタイミングチャート。
【図６】同実施形態に関してライトヘッドの磁区構造及び外乱磁界による漏洩磁界を説明するための図。
【図７】同実施形態に関してライトヘッドの磁区構造及び外乱磁界による漏洩磁界を説明するための図。
【図８】同実施形態に関してディスクに対する漏洩磁界の低減効果を説明するための図。
【符号の説明】
１…ディスクドライブ
２…ホストシステム
３…ディスク
４…磁気ヘッド
５…スピンドルモータ（ＳＰＭ）
６…アクチュエータ
７…ボイスコイルモータ（ＶＣＭ）
８…ヘッドアンプ回路
９…リード／ライト（Ｒ／Ｗ）チャネル
１０…ディスクコントローラ（ＨＤＣ）
１１…マイクロプロセッサ（ＣＰＵ）
１２…フラッシュメモリ（ＦＲＯＭ）
１３…ＲＡＭ
１４…ＲＯＭ
１６…外磁場センサ（磁気センサ）
２２…リードヘッド
２３…ライトヘッド
２４…ＧＭＲ素子
２５…上部シールドコア
２６…下部シールドコア
２７…上部磁極（主磁極）
２８…コイル
２９…下部磁極（補助磁極）
３０…記録層
３１…軟磁性層
３２…基板
８０…ライトアンプ
８１…リードアンプ
９０…ライトチャネル
９１…リードチャネル
９０１…ビット付加回路
９０２…符号化・記録補償回路
【図１】
2004005839.tif 000003
【図２】
2004005839.tif 000004
【図３】
2004005839.tif 000005
【図４】
2004005839.tif 000006
【図５】
2004005839.tif 000007
【図６】
2004005839.tif 000008
【図７】
2004005839.tif 000009
【図８】
2004005839.tif 000010